(57)【特許請求の範囲】
【請求項１】
入力信号を与えられた設定値に基づき制御されるベクトル調整器により振幅と位相を調整して主増幅器により増幅し、分配された入力信号と合成することにより、入力信号の残留信号成分を含む上記主増幅器の歪成分を検出する歪検出回路と、
上記歪検出回路により検出された残留信号成分を含む歪成分と、上記主増幅器の出力を合成することにより、残留歪成分を含む信号成分を出力する歪除去回路とを
備えたフィードフォワード増幅器において、
上記主増幅器の出力から取り出した信号成分を上記ベクトル調整器の設定値により除算し、その除算結果と上記歪検出回路により検出された残留信号成分を含む歪成分に基づき歪成分に含まれる残留信号成分を算出し、上記ベクトル調整器の次の設定値を制御する制御回路を
備えたことを特徴とするフィードフォワード増幅器。
【請求項２】
入力信号を主増幅器により増幅し、分配された入力信号と合成することにより、入力信号の残留信号成分を含む上記主増幅器の歪成分を検出する歪検出回路と、
上記歪検出回路により検出された残留信号成分を含む歪成分を、与えられた設定値に基づき制御されるベクトル調整器により振幅と位相を調整し、補助増幅器により増幅して上記主増幅器の出力と合成することにより、残留歪成分を含む信号成分を出力する歪除去回路とを
備えたフィードフォワード増幅器において、
上記補助増幅器の出力から取り出した歪成分を上記ベクトル調整器の設定値により除算し、その除算結果と上記歪除去回路から出力された残留歪成分を含む信号成分に基づき信号成分に含まれる残留歪成分を算出し、上記ベクトル調整器の次の設定値を制御する制御回路を
備えたことを特徴とするフィードフォワード増幅器。
【請求項３】
入力信号と外部より入力されたパイロット信号を合成した所望波成分を、与えられた設定値に基づき制御されるベクトル調整器により振幅と位相を調整して主増幅器により増幅し、分配された所望波成分と合成することにより、残留所望波成分を含む上記主増幅器の歪成分を検出する歪検出回路と、
上記歪検出回路により検出された残留所望波成分を含む歪成分と、上記主増幅器の出力を合成することにより、残留歪成分を含む所望波成分を出力する歪除去回路とを
備えたフィードフォワード増幅器において、
上記主増幅器の出力から取り出した所望波成分を上記ベクトル調整器の設定値により除算し、その除算結果と上記歪検出回路により検出された残留所望波成分を含む歪成分に基づき歪成分に含まれる残留所望波成分を算出し、上記ベクトル調整器の次の設定値を制御する制御回路を
備えたことを特徴とするフィードフォワード増幅器。
【請求項４】
入力信号を外部より入力されたパイロット信号と合成して主増幅器により増幅し、分配された入力信号と合成することにより、入力信号の残留信号成分を含む上記主増幅器の歪成分とパイロット信号成分による不要波成分を検出する歪検出回路と、
上記歪検出回路により検出された残留信号成分を含む不要波成分を、与えられた設定値に基づき制御されるベクトル調整器により振幅と位相を調整し、補助増幅器により増幅して上記主増幅器の出力と合成することにより、残留不要波成分を含む信号成分を出力する歪除去回路とを
備えたフィードフォワード増幅器において、
上記補助増幅器の出力から取り出した不要波成分を上記ベクトル調整器の設定値により除算し、その除算結果と上記歪除去回路から出力された残留不要波成分を含む信号成分に基づき信号成分に含まれる残留不要波成分を算出し、上記ベクトル調整器の次の設定値を制御する制御回路を
備えたことを特徴とするフィードフォワード増幅器。
【請求項５】
入力信号を与えられた設定値に基づき制御されるベクトル調整器により振幅と位相を調整して主増幅器により増幅し、分配された入力信号と合成することにより、入力信号の残留信号成分を含む上記主増幅器の歪成分を検出する歪検出回路と、
上記歪検出回路により検出された残留信号成分を含む歪成分と、上記主増幅器の出力を合成することにより、残留歪成分を含む信号成分を出力する歪除去回路とを
備えたフィードフォワード増幅器において、
上記主増幅器の出力から取り出した信号成分と、上記歪検出回路により検出された残留信号成分を含む歪成分を入力し、入力した信号成分をディジタル化し、入力した残留信号成分を含む歪成分をディジタル化すると共に、ディジタル化された信号成分を上記ベクトル調整器に与えるためのディジタル化された設定値により除算し、その除算結果とディジタル化された残留信号成分を含む歪成分との相関を求めて歪成分に含まれる残留信号成分を算出し、算出した残留信号成分に上記歪検出回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項６】
制御回路は、除算結果の複素共役とディジタル化された残留信号成分を含む歪成分とを乗算し、その乗算結果を時間平均して歪成分に含まれる残留信号成分を算出する
ことを特徴とする請求項５記載のフィードフォワード増幅器。
【請求項７】
入力信号を与えられた設定値に基づき制御されるベクトル調整器により振幅と位相を調整して主増幅器により増幅し、分配された入力信号と合成することにより、入力信号の残留信号成分を含む上記主増幅器の歪成分を検出する歪検出回路と、
上記歪検出回路により検出された残留信号成分を含む歪成分と、上記主増幅器の出力を合成することにより、残留歪成分を含む信号成分を出力する歪除去回路とを
備えたフィードフォワード増幅器において、
上記主増幅器の出力から取り出した信号成分と、上記歪検出回路により検出された残留信号成分を含む歪成分を入力し、入力した信号成分をディジタル化し、入力した残留信号成分を含む歪成分をディジタル化すると共に、ディジタル化された信号成分を上記ベクトル調整器に与えるためのディジタル化された設定値により除算し、その除算結果の複素共役とディジタル化された残留信号成分を含む歪成分とを乗算して、歪成分に含まれる残留信号成分を算出し、算出した残留信号成分に上記歪検出回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項８】
制御回路は、除算結果の複素共役とディジタル化された残留信号成分を含む歪成分とを乗算し、その乗算結果を上記除算結果の瞬時電力で規格化して歪成分に含まれる残留信号成分を算出する
ことを特徴とする請求項７記載のフィードフォワード増幅器。
【請求項９】
入力信号を主増幅器により増幅し、分配された入力信号と合成することにより、入力信号の残留信号成分を含む上記主増幅器の歪成分を検出する歪検出回路と、
上記歪検出回路により検出された残留信号成分を含む歪成分を、与えられた設定値に基づき制御されるベクトル調整器により振幅と位相を調整し、補助増幅器により増幅して上記主増幅器の出力と合成することにより、残留歪成分を含む信号成分を出力する歪除去回路とを
備えたフィードフォワード増幅器において、
上記補助増幅器の出力から取り出した歪成分と、上記歪除去回路から出力された残留歪成分を含む信号成分を入力し、入力した歪成分をディジタル化し、入力した残留歪成分を含む信号成分をディジタル化すると共に、ディジタル化された歪成分を上記ベクトル調整器に与えるためのディジタル化された設定値により除算し、その除算結果とディジタル化された残留歪成分を含む信号成分との相関を求めて信号成分に含まれる残留歪成分を算出し、算出した残留歪成分に上記歪除去回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項１０】
制御回路は、除算結果の複素共役とディジタル化された残留歪成分を含む信号成分とを乗算し、その乗算結果を時間平均して信号成分に含まれる残留歪成分を算出する
ことを特徴とする請求項９記載のフィードフォワード増幅器。
【請求項１１】
入力信号を主増幅器により増幅し、分配された入力信号と合成することにより、入力信号の残留信号成分を含む上記主増幅器の歪成分を検出する歪検出回路と、
上記歪検出回路により検出された残留信号成分を含む歪成分を、与えられた設定値に基づき制御されるベクトル調整器により振幅と位相を調整し、補助増幅器により増幅して上記主増幅器の出力と合成することにより、残留歪成分を含む信号成分を出力する歪除去回路とを
備えたフィードフォワード増幅器において、
上記補助増幅器の出力から取り出した歪成分と、上記歪除去回路から出力された残留歪成分を含む信号成分を入力し、入力した歪成分をディジタル化し、入力した残留歪成分を含む信号成分をディジタル化すると共に、ディジタル化された歪成分を上記ベクトル調整器に与えるためのディジタル化された設定値により除算し、その除算結果の複素共役とディジタル化された残留歪成分を含む信号成分とを乗算して、信号成分に含まれる残留歪成分を算出し、算出した残留歪成分に上記歪除去回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項１２】
制御回路は、除算結果の複素共役とディジタル化された残留歪成分を含む信号成分とを乗算し、その乗算結果を上記除算結果の瞬時電力で規格化して信号成分に含まれる残留歪成分を算出する
ことを特徴とする請求項１１記載のフィードフォワード増幅器。
【請求項１３】
入力信号と外部より入力されたパイロット信号を合成した所望波成分を、与えられた設定値に基づき制御されるベクトル調整器により振幅と位相を調整して主増幅器により増幅し、分配された所望波成分と合成することにより、残留所望波成分を含む上記主増幅器の歪成分を検出する歪検出回路と、上記歪検出回路により検出された残留所望波成分を含む歪成分と、上記主増幅器の出力を合成することにより、残留歪成分を含む所望波成分を出力する歪除去回路とを
備えたフィードフォワード増幅器において、
上記主増幅器の出力から取り出した所望波成分と、上記歪検出回路により検出された残留所望波成分を含む歪成分を入力し、入力した所望波成分をディジタル化し、入力した残留所望波成分を含む歪成分をディジタル化すると共に、ディジタル化された所望波成分を上記ベクトル調整器に与えるためのディジタル化された設定値により除算し、その除算結果とディジタル化された残留所望波成分を含む歪成分との相関を求めて歪成分に含まれる残留所望波成分を算出し、算出した残留所望波成分に上記歪検出回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項１４】
制御回路は、除算結果の複素共役とディジタル化された残留所望波成分を含む歪成分とを乗算し、その乗算結果を時間平均して歪成分に含まれる残留所望波成分を算出する
ことを特徴とする請求項１３記載のフィードフォワード増幅器。
【請求項１５】
入力信号と外部より入力されたパイロット信号を合成した所望波成分を、与えられた設定値に基づき制御されるベクトル調整器により振幅と位相を調整して主増幅器により増幅し、分配された所望波成分と合成することにより、残留所望波成分を含む上記主増幅器の歪成分を検出する歪検出回路と、上記歪検出回路により検出された残留所望波成分を含む歪成分と、上記主増幅器の出力を合成することにより、残留歪成分を含む所望波成分を出力する歪除去回路とを
備えたフィードフォワード増幅器において、
上記主増幅器の出力から取り出した所望波成分と、上記歪検出回路により検出された残留所望波成分を含む歪成分を入力し、入力した所望波成分をディジタル化し、入力した残留所望波成分を含む歪成分をディジタル化すると共に、ディジタル化された所望波成分を上記ベクトル調整器に与えるためのディジタル化された設定値により除算し、その除算結果の複素共役とディジタル化された残留所望波成分を含む歪成分とを乗算して、歪成分に含まれる残留所望波成分を算出し、算出した残留所望波成分に上記歪検出回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項１６】
制御回路は、除算結果の複素共役とディジタル化された残留所望波成分を含む歪成分とを乗算し、その乗算結果を上記除算結果の瞬時電力で規格化して歪成分に含まれる残留所望波成分を算出する
ことを特徴とする請求項１５記載のフィードフォワード増幅器。
【請求項１７】
入力信号を外部より入力されたパイロット信号と合成して主増幅器により増幅し、分配された入力信号と合成することにより、入力信号の残留信号成分を含む上記主増幅器の歪成分とパイロット信号成分による不要波成分を検出する歪検出回路と、
上記歪検出回路により検出された残留信号成分を含む不要波成分を、与えられた設定値に基づき制御されるベクトル調整器により振幅と位相を調整し、補助増幅器により増幅して上記主増幅器の出力と合成することにより、残留不要波成分を含む信号成分を出力する歪除去回路とを
備えたフィードフォワード増幅器において、
上記補助増幅器の出力から取り出した不要波成分と、上記歪除去回路から出力された残留不要波成分を含む信号成分を入力し、入力した不要波成分をディジタル化し、入力した残留不要波成分を含む信号成分をディジタル化すると共に、ディジタル化された不要波成分を上記ベクトル調整器に与えるためのディジタル化された設定値により除算し、その除算結果とディジタル化された残留不要波成分を含む信号成分との相関を求めて信号成分に含まれる残留不要波成分を算出し、算出した残留不要波成分に上記歪除去回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項１８】
制御回路は、除算結果の複素共役とディジタル化された残留不要波成分を含む信号成分とを乗算し、その乗算結果を時間平均して信号成分に含まれる残留不要波成分を算出する
ことを特徴とする請求項１７記載のフィードフォワード増幅器。
【請求項１９】
入力信号を外部より入力されたパイロット信号と合成して主増幅器により増幅し、分配された入力信号と合成することにより、入力信号の残留信号成分を含む上記主増幅器の歪成分とパイロット信号成分による不要波成分を検出する歪検出回路と、
上記歪検出回路により検出された残留信号成分を含む不要波成分を、与えられた設定値に基づき制御されるベクトル調整器により振幅と位相を調整し、補助増幅器により増幅して上記主増幅器の出力と合成することにより、残留不要波成分を含む信号成分を出力する歪除去回路とを
備えたフィードフォワード増幅器において、
上記補助増幅器の出力から取り出した不要波成分と、上記歪除去回路から出力された残留不要波成分を含む信号成分を入力し、入力した不要波成分をディジタル化し、入力した残留不要波成分を含む信号成分をディジタル化すると共に、ディジタル化された不要波成分を上記ベクトル調整器に与えるためのディジタル化された設定値により除算し、その除算結果の複素共役とディジタル化された残留不要波成分を含む信号成分とを乗算して、信号成分に含まれる残留不要波成分を算出し、算出した残留不要波成分に上記歪除去回路の制御の収束性と安定性を考慮した修正係数を乗算して、上記ベクトル調整器に与えるためのディジタル化された設定値を更新し、更新した設定値をアナログ化して上記ベクトル調整器に与える制御回路を
備えたことを特徴とするフィードフォワード増幅器。
【請求項２０】
制御回路は、除算結果の複素共役とディジタル化された残留不要波成分を含む信号成分とを乗算し、その乗算結果を上記除算結果の瞬時電力で規格化して信号成分に含まれる残留不要波成分を算出する
ことを特徴とする請求項１９記載のフィードフォワード増幅器。
【発明の詳細な説明】
【０００１】
【発明の属する技術分野】
この発明は、衛星通信、地上マイクロ波通信、移動体通信に使用するフィードフォワード増幅器に関するものである。
【０００２】
【従来の技術】
図９は例えば米国特許４，３９４，６２４号に開示されたフィードフォワード増幅器を参照して作成した、従来のフィードフォワード増幅器の構成を示すブロック図である。図において、１は歪検出回路、２は歪除去回路、３は主増幅器信号経路、４は線形信号経路、５は主増幅器出力経路、６は歪注入経路であり、このフィードフォワード増幅器は基本的に２つのループ及びそれらを制御する回路により構成されている。１つ目のループである歪検出回路１は主増幅器信号経路３と線形信号経路４から構成され、２つ目のループである歪除去回路２は主増幅器出力経路５と歪注入経路６から構成されている。
【０００３】
また、図９において、１１は電力分配器、１２はベクトル調整器、１３は主増幅器、１４は方向性結合器、２０は電力分配器、２１は電力合成器、２３は方向性結合器、２４は方向性結合器、２５はベクトル調整器、２６は補助増幅器、２７は電力合成器で、３１は入力端子、３２は出力端子、３３は方向性結合器、３５は帯域遮断フィルタ、３６は制御回路、３７は制御回路である。
【０００４】
図１０は図９における制御回路３６，３７の内部構成を示すブロック図であり、図において、４１は複素共役器、４２は乗算器、４３は積分器、４４は設定値更新器であり、４５は複素共役器４１、乗算器４２、積分器４３により構成される相関器である。
【０００５】
次に動作について説明する。
まず歪検出回路１の動作について説明する。入力端子３１に入力された入力信号は、電力分配器１１により主増幅器信号経路３及び線形信号経路４に分配される。主増幅器信号経路３の入力信号はベクトル調整器１２により振幅と位相が調整され、主増幅器１３により増幅されて電力分配器２０に入力される。線形信号経路４の入力信号は方向性結合器１４を介して電力合成器２１に入力され、電力分配器２０により分配された主増幅器１３からの信号と電力合成される。電力合成器２１から歪注入経路６への出力は、入力信号の信号成分が削減され、主増幅器１３から発生する歪成分となる。すなわち、残留信号成分を含む歪成分が歪注入経路６に入力される。
【０００６】
歪検出回路１における方向性結合器１４から取り出された入力信号の信号成分（ここでは、Ｖ1A（ｔ）とする）は制御回路３６に入力される。また、歪除去回路２における方向性結合器２３から取り出された残留信号成分を含む歪成分は（ここでは、Ｖ1B（ｔ）とする）が制御回路３６に入力される。
【０００７】
制御回路３６は信号成分Ｖ1A（ｔ）と残留信号成分を含む歪成分Ｖ1B（ｔ）との相関を求めて、歪成分Ｖ1B（ｔ）に含まれる残留信号成分を算出し、算出された残留信号成分に基づき、電力合成器２１から歪注入経路６へ出力される歪成分Ｖ1B（ｔ）に含まれる残留信号成分が最小になるように、設定値Ｗ（ｔ）をベクトル調整器１２に出力する。
【０００８】
ベクトル調整器１２は制御回路３６からの設定値Ｗ（ｔ）に基づき、電力分配器１１からの入力信号の振幅と位相を調整することにより、電力合成器２１から歪注入経路６に出力される歪成分に含まれる残留信号成分を削減する。
【０００９】
次に歪除去回路２の動作について説明する。歪注入経路６に入力された残留信号成分を含む歪成分は、方向性結合器２３，２４を介してベクトル調整器２５により振幅と位相が調整され、補助増幅器２６により増幅されて、電力合成器２７により主増幅器出力経路５における電力分配器２０から出力された歪成分を含む信号成分と電力合成される。電力合成器２７では、主増幅器１３により発生する歪成分が削減され、残留歪成分を含む信号成分による出力信号が方向性結合器３３から出力される。
【００１０】
歪除去回路２における方向性結合器２４から取り出された残留信号成分を含む歪成分は、帯域遮断フィルタ３５により残留信号成分が遮断されて、歪成分（ここでは、Ｖ2A（ｔ）とする）が制御回路３７に入力される。また、方向性結合器３３から取り出された出力信号である残留歪成分を含む信号成分（ここでは、Ｖ2B（ｔ）とする）が制御回路３７に入力される。
【００１１】
制御回路３７は、歪成分Ｖ2A（ｔ）と残留歪成分を含む信号成分Ｖ2B（ｔ）との相関を求めて、信号成分Ｖ2B（ｔ）に含まれる残留歪成分を算出し、算出された残留歪成分に基づき、電力合成器２７から出力される信号成分Ｖ2B（ｔ）に含まれる残留歪成分が最小になるように、設定値Ｗ（ｔ）をベクトル調整器２５に出力する。
【００１２】
ベクトル調整器２５は制御回路３７からの設定値Ｗ（ｔ）に基づき、方向性結合器２４からの残留信号成分を含む歪成分の振幅と位相を調整することにより、電力合成器２７から出力される信号成分に含まれる残留歪成分を削減する。
【００１３】
このように、歪抽出回路１の制御及び歪除去回路２の制御を常時、又は、間欠的に実行し、制御回路３６及び制御回路３７から出力される設定値Ｗ（ｔ）を繰り返して更新していくことにより、主増幅器１３から発生する歪成分が除去されて、線形性が良好なフィードフォワード増幅器が実現できる。
【００１４】
次に図１０に示す制御回路３６の動作について説明する。図９の方向性結合器１４から取り出された入力信号の信号成分Ｖ1A（ｔ）は複素共役器４１に入力される。複素共役器４１は、信号成分Ｖ1A（ｔ）の振幅（複素数における実数部分）を変えずに、位相（複素数における虚数部分）を反転させて、信号成分Ｖ1A（ｔ）の複素共役Ｖ1A（ｔ）＊を乗算器４２に出力する。
【００１５】
乗算器４２は、複素共役器４１からの複素共役Ｖ1A（ｔ）＊と、図９の方向性結合器２３から取り出された残留信号成分を含む歪成分Ｖ1B（ｔ）とを乗算し、乗算結果Ｖ1A（ｔ）＊・Ｖ1B（ｔ）を算出し、積分器４３により乗算結果Ｖ1A（ｔ）＊・Ｖ1B（ｔ）の時間平均を求めることにより、乗算結果の平均値＜Ｖ1A（ｔ）＊・Ｖ1B（ｔ）＞を歪成分Ｖ1B（ｔ）に含まれる残留信号成分として出力する。設定値更新器４４は、乗算結果の平均値＜Ｖ1A（ｔ）＊・Ｖ1B（ｔ）＞に基づき、ベクトル調整器１２に与える設定値Ｗ（ｔ）を更新する。
【００１６】
次に図１０に示す制御回路３７の動作について説明する。図９の方向性結合器２４から帯域遮断フィルタ３５を介して取り出された歪成分Ｖ2A（ｔ）は複素共役器４１に入力される。複素共役器４１は、歪成分Ｖ2A（ｔ）の振幅（複素数における実数部分）を変えずに、位相（複素数における虚数部分）を反転させて、歪成分Ｖ2A（ｔ）の複素共役Ｖ2A（ｔ）＊を乗算器４２に出力する。
【００１７】
乗算器４２は、複素共役器４１からの複素共役Ｖ2A（ｔ）＊と、図９の方向性結合器３３から取り出された残留歪成分を含む信号成分Ｖ2B（ｔ）とを乗算し、乗算結果Ｖ2A（ｔ）＊・Ｖ2B（ｔ）を算出し、積分器４３により乗算結果Ｖ2A（ｔ）＊・Ｖ2B（ｔ）の時間平均を求めることにより、乗算結果の平均値＜Ｖ2A（ｔ）＊・Ｖ2B（ｔ）＞を信号成分Ｖ2B（ｔ）に含まれる残留歪成分として出力する。設定値更新器４４は、乗算結果の平均値＜Ｖ2A（ｔ）＊・Ｖ2B（ｔ）＞に基づき、ベクトル調整器２５に与える設定値Ｗ（ｔ）を更新する。
【００１８】
図１１は制御回路３６，３７が出力する設定値Ｗ（ｔ）の収束特性を示す図であり、設定値Ｗ（ｔ）が初期値Ｗｏから繰り返して更新され収束値Ｗｍに収束する様子を示している。図１１（ａ）に示すように、収束特性１０１は収束値Ｗｍに収束するまで時間がかかっているが、各設定値Ｗ（ｔ）は安定している。また、収束特性１０２は収束値Ｗｍに収束するまでの時間が速いが、各設定値Ｗ（ｔ）は大きく変化し安定性が低下している。さらに、安定性が低下すると、図１１（ｂ）の収束特性１０３に示すように、設定値Ｗ（ｔ）は収束値Ｗｍに収束せずに発散してしまうことがある。
【００１９】
このような歪抽出回路１及び歪除去回路２の制御の過程において、制御の収束性と安定性を確保することは重要である。図１０に示す制御回路３６，３７は、いわゆる適応フィルタのアルゴリズムにより、ベクトル調整器１２，２５の設定値Ｗ（ｔ）を求めるものであり、以下に、適応フィルタのアルゴリズムと設定値Ｗ（ｔ）の収束性について説明する。
【００２０】
図１２は歪除去回路２の動作原理を示す図である。図において、Ｖｓは入力信号の信号成分で、Ｖｄは主増幅器１３により発生する歪成分であり制御回路３７（適応フィルタ）の参照信号である。Ｇは補助増幅器２６の通過利得及び通過位相、Ｗはベクトル調整器２５に与える設定値、Ｖｅは方向性結合器３３からの残留歪成分を含む信号成分であり、制御回路３７（適応フィルタ）の誤差信号である。この図では、簡略化するため、歪注入経路６に出力される残留信号成分は０としている。
【００２１】
図１２に示すように、主増幅器出力経路５におけるＶｓ＋Ｖｄは、電力合成器２７により補助増幅器２６からの出力Ｇ・Ｗ・Ｖｄと合成され、方向性結合器３３から制御回路３７に次の（１）式に示す誤差信号Ｖｅが入力される。
Ｖｅ＝Ｖｓ＋（１＋Ｇ・Ｗ）・Ｖｄ                              （１）
また、方向性結合器２４からの参照信号Ｖｄが制御回路３７に入力される。
【００２２】
ここでは、誤差信号Ｖｅを最小にするために誤差信号Ｖｅの電力を最小にすることを考え、誤差信号Ｖｅの誤差信号電力Ｐｅは次の（２）式で示される。
Ｐｅ（Ｗ）＝＜｜Ｖｅ｜2 ＞＝＜｜Ｖｅ＊・Ｖｅ｜＞
＝＜｜Ｖｓ｜2 ＞＋｜１＋Ｇ・Ｗ｜2 ＜｜Ｖｄ｜2 ＞    （２）
ただし、上記（２）式ではＶｓとＶｄは無相関なので、
＜Ｖｓ＊・Ｖｄ＞＝０                                        （３）
としている。
【００２３】
一般に適応フィルタのアルゴリズムにより、更新回数ｔにおける設定値をＷ（ｔ）とすると、更新回数ｔ＋１における設定値Ｗ（ｔ＋１）は次の（４）式で示される。
Ｗ（ｔ＋１）＝Ｗ（ｔ）−μ・∂Ｐｅ（Ｗ）／∂Ｗ（ｔ）        （４）
上記（４）式において、μは修正係数、∂Ｐｅ（Ｗ）／∂Ｗ（ｔ）は誤差信号電力Ｐｅ（Ｗ）を設定値Ｗ（ｔ）で偏微分したもので、誤差信号電力Ｐｅ（Ｗ）の関数における傾きを示している。
【００２４】
図１３は誤差信号電力Ｐｅ（Ｗ）の関数を示す図であり、図において、Ｒｅ［Ｗ］は設定値Ｗの実数軸、Ｉｍ［Ｗ］は設定値Ｗの虚数軸、１１１は誤差信号電力Ｐｅ（Ｗ）の関数における傾き、１１２は誤差信号電力Ｐｅ（Ｗ）の最小点である。適応フィルタのアルゴリズムは、ある時点の設定値Ｗの変化に対する誤差信号電力Ｐｅ（Ｗ）の傾き（変化量）１１１を求めて、傾き１１１が最小になるよう制御する、すなわち誤差信号電力Ｐｅ（Ｗ）の最小点１１２を求めるものである。ここで、誤差信号電力Ｐｅ（Ｗ）の傾きは振幅成分と位相成分を含んでいる。
【００２５】
上記（２）式を上記（４）式に代入すると次の（５）式が得られる。
Ｗ（ｔ＋１）＝Ｗ（ｔ）−２μ・Ｇ＊・Ｖｄ＊・Ｖｅ              （５）
上記（５）式は、制御回路３７に、参照信号としてＶｄを入力し、誤差信号としてＶｅを入力した場合、２μ・Ｇ＊を所定の閾値より小さな値に設定すると設定値Ｗ（ｔ＋１）は収束することを意味している。線形の補助増幅器２６では、上記（５）式における２μ・Ｇ＊を所定の閾値より小さな値に設定すると設定値Ｗ（ｔ＋１）は収束する。
【００２６】
上記（５）式において、補助増幅器２６は線形であることを前提としているが、非線形の補助増幅器２６では、通過利得及び通過位相は設定値Ｗにより変化するのでＧ（Ｗ）となり、更新回数ｔ＋１における設定値Ｗ（ｔ＋１）は次の（６）式で示される。
Ｗ（ｔ＋１）＝Ｗ（ｔ）−２μ・Ｇ＊（Ｗ）・Ｖｄ＊・Ｖｅ        （６）
【００２７】
上記（６）式は制御回路３７に、参照信号としてＶｄを入力し、誤差信号としてＶｅを入力した場合に、非線形の補助増幅器２６を使用した歪除去回路２におけるベクトル調整器２５に与える設定値Ｗ（ｔ＋１）を収束させるには、２μ・Ｇ＊（Ｗ）を所定の閾値より小さな値に設定する必要がある。しかし、Ｇ（Ｗ）は時間が経過するにつれて変化してしまうので、種々の値を有する２μ・Ｇ＊（Ｗ）を事前設定することは現実的ではない。
【００２８】
図１２は歪除去回路２について説明しているが、歪検出回路１の主増幅器１３についても同様であり、非線形の主増幅器１３の場合には、設定値Ｗ（ｔ＋１）を収束させるには、２μ・Ｇ＊（Ｗ）を所定の閾値より小さな値に設定する必要があり、やはり、種々の値を有する２μ・Ｇ＊（Ｗ）を事前設定することは現実的ではない。
【００２９】
【発明が解決しようとする課題】
従来のフィードフォワード増幅器は、以上のように構成されているので、歪検出回路１及び歪除去回路２の制御において、主増幅器１３及び補助増幅器２６が非線形の場合には、ベクトル調整器１２，２５の設定値Ｗの収束性が劣化するという課題があった。
【００３０】
この発明は上記のような課題を解決するためになされたもので、歪検出回路１及び歪除去回路２の制御において、主増幅器１３及び補助増幅器２６が非線形の場合でも、ベクトル調整器１２，２５の設定値Ｗを確実に収束させることができるフィードフォワード増幅器を得ることを目的とする。
【００３１】
【課題を解決するための手段】
この発明に係るフィードフォワード増幅器は、主増幅器の出力から取り出した信号成分をベクトル調整器の設定値により除算し、その除算結果と歪検出回路により検出された残留信号成分を含む歪成分に基づき歪成分に含まれる残留信号成分を算出し、ベクトル調整器の次の設定値を制御する制御回路を備えたものである。
【００３２】
この発明に係るフィードフォワード増幅器は、補助増幅器の出力から取り出した歪成分をベクトル調整器の設定値により除算し、その除算結果と歪除去回路から出力された残留歪成分を含む信号成分に基づき信号成分に含まれる残留歪成分を算出し、ベクトル調整器の次の設定値を制御する制御回路を備えたものである。
【００３３】
この発明に係るフィードフォワード増幅器は、主増幅器の出力から取り出した入力信号とパイロット信号を合成した所望波成分をベクトル調整器の設定値により除算し、その除算結果と歪検出回路により検出された残留所望波成分を含む歪成分に基づき歪成分に含まれる残留所望波成分を算出し、ベクトル調整器の次の設定値を制御する制御回路を備えたものである。
【００３４】
この発明に係るフィードフォワード増幅器は、補助増幅器の出力から取り出した主増幅器の歪成分とパイロット信号成分による不要波成分をベクトル調整器の設定値により除算し、その除算結果と歪除去回路から出力された残留不要波成分を含む信号成分に基づき信号成分に含まれる残留不要波成分を算出し、ベクトル調整器の次の設定値を制御する制御回路を備えたものである。
【００３５】
この発明に係るフィードフォワード増幅器は、主増幅器の出力から取り出した信号成分と、歪検出回路により検出された残留信号成分を含む歪成分を入力し、入力した信号成分をディジタル化し、入力した残留信号成分を含む歪成分をディジタル化すると共に、ディジタル化された信号成分をベクトル調整器に与えるためのディジタル化された設定値により除算し、その除算結果とディジタル化された残留信号成分を含む歪成分との相関を求めて歪成分に含まれる残留信号成分を算出し、算出した残留信号成分に記歪検出回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００３６】
この発明に係るフィードフォワード増幅器は、制御回路が、除算結果の複素共役とディジタル化された残留信号成分を含む歪成分とを乗算し、その乗算結果を時間平均して歪成分に含まれる残留信号成分を算出するものである。
【００３７】
この発明に係るフィードフォワード増幅器は、主増幅器の出力から取り出した信号成分と、歪検出回路により検出された残留信号成分を含む歪成分を入力し、入力した信号成分をディジタル化し、入力した残留信号成分を含む歪成分をディジタル化すると共に、ディジタル化された信号成分をベクトル調整器に与えるためのディジタル化された設定値により除算し、その除算結果の複素共役とディジタル化された残留信号成分を含む歪成分とを乗算して、歪成分に含まれる残留信号成分を算出し、算出した残留信号成分に歪検出回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００３８】
この発明に係るフィードフォワード増幅器は、制御回路が、除算結果の複素共役とディジタル化された残留信号成分を含む歪成分とを乗算し、その乗算結果を上記除算結果の瞬時電力で規格化して歪成分に含まれる残留信号成分を算出するものである。
【００３９】
この発明に係るフィードフォワード増幅器は、補助増幅器の出力から取り出した歪成分と、歪除去回路から出力された残留歪成分を含む信号成分を入力し、入力した歪成分をディジタル化し、入力した残留歪成分を含む信号成分をディジタル化すると共に、ディジタル化された歪成分をベクトル調整器に与えるためのディジタル化された設定値により除算し、その除算結果とディジタル化された残留歪成分を含む信号成分との相関を求めて信号成分に含まれる残留歪成分を算出し、算出した残留歪成分に歪除去回路の制御の収束性と安定性を考慮した修正係数を乗算して、ベクトル調整器に与えるためのディジタル化された設定値を更新し、更新した設定値をアナログ化して前記ベクトル調整器に与える制御回路を備えたものである。
【００４０】
この発明に係るフィードフォワード増幅器は、制御回路が、除算結果の複素共役とディジタル化された残留歪成分を含む信号成分とを乗算し、その乗算結果を時間平均して信号成分に含まれる残留歪成分を算出するものである。
【００４１】
この発明に係るフィードフォワード増幅器は、補助増幅器の出力から取り出した歪成分と、歪除去回路から出力された残留歪成分を含む信号成分を入力し、入力した歪成分をディジタル化し、入力した残留歪成分を含む信号成分をディジタル化すると共に、ディジタル化された歪成分をベクトル調整器に与えるためのディジタル化された設定値により除算し、その除算結果の複素共役とディジタル化された残留歪成分を含む信号成分とを乗算して、信号成分に含まれる残留歪成分を算出し、算出した残留歪成分に歪除去回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００４２】
この発明に係るフィードフォワード増幅器は、制御回路が、除算結果の複素共役とディジタル化された残留歪成分を含む信号成分とを乗算し、その乗算結果を上記除算結果の瞬時電力で規格化して信号成分に含まれる残留歪成分を算出するものである。
【００４３】
この発明に係るフィードフォワード増幅器は、主増幅器の出力から取り出した入力信号とパイロット信号を合成した所望波成分と、歪検出回路により検出された残留所望波成分を含む歪成分を入力し、入力した所望波成分をディジタル化し、入力した残留所望波成分を含む歪成分をディジタル化すると共に、ディジタル化された所望波成分をベクトル調整器に与えるためのディジタル化された設定値により除算し、その除算結果とディジタル化された残留所望波成分を含む歪成分との相関を求めて歪成分に含まれる残留所望波成分を算出し、算出した残留所望波成分に歪検出回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００４４】
この発明に係るフィードフォワード増幅器は、制御回路が、除算結果の複素共役とディジタル化された残留所望波成分を含む歪成分とを乗算し、その乗算結果を時間平均して歪成分に含まれる残留所望波成分を算出するものである。
【００４５】
この発明に係るフィードフォワード増幅器は、主増幅器の出力から取り出した入力信号とパイロット信号を合成した所望波成分と、歪検出回路により検出された残留所望波成分を含む歪成分を入力し、入力した所望波成分をディジタル化し、入力した残留所望波成分を含む歪成分をディジタル化すると共に、ディジタル化された所望波成分をベクトル調整器に与えるためのディジタル化された設定値により除算し、その除算結果の複素共役とディジタル化された残留所望波成分を含む歪成分とを乗算して、歪成分に含まれる残留所望波成分を算出し、算出した残留所望波成分に歪検出回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００４６】
この発明に係るフィードフォワード増幅器は、制御回路が、除算結果の複素共役とディジタル化された残留所望波成分を含む歪成分とを乗算し、その乗算結果を除算結果の瞬時電力で規格化して歪成分に含まれる残留所望波成分を算出するものである。
【００４７】
この発明に係るフィードフォワード増幅器は、補助増幅器の出力から取り出した主増幅器の歪成分とパイロット信号成分による不要波成分と、歪除去回路から出力された残留不要波成分を含む信号成分を入力し、入力した不要波成分をディジタル化し、入力した残留不要波成分を含む信号成分をディジタル化すると共に、ディジタル化された不要波成分をベクトル調整器に与えるためのディジタル化された設定値により除算し、その除算結果とディジタル化された残留不要波成分を含む信号成分との相関を求めて信号成分に含まれる残留不要波成分を算出し、算出した残留不要波成分に歪除去回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００４８】
この発明に係るフィードフォワード増幅器は、制御回路が、除算結果の複素共役とディジタル化された残留不要波成分を含む信号成分とを乗算し、その乗算結果を時間平均して信号成分に含まれる残留不要波成分を算出するものである。
【００４９】
この発明に係るフィードフォワード増幅器は、補助増幅器の出力から取り出した主増幅器の歪成分とパイロット信号成分による不要波成分と、歪除去回路から出力された残留不要波成分を含む信号成分を入力し、入力した不要波成分をディジタル化し、入力した残留不要波成分を含む信号成分をディジタル化すると共に、ディジタル化された不要波成分をベクトル調整器に与えるためのディジタル化された設定値により除算し、その除算結果の複素共役とディジタル化された残留不要波成分を含む信号成分とを乗算して、信号成分に含まれる残留不要波成分を算出し、算出した残留不要波成分に歪除去回路の制御の収束性と安定性を考慮した修正係数を乗算して、ベクトル調整器に与えるためのディジタル化された設定値を更新し、更新した設定値をアナログ化してベクトル調整器に与える制御回路を備えたものである。
【００５０】
この発明に係るフィードフォワード増幅器は、制御回路が、除算結果の複素共役とディジタル化された残留不要波成分を含む信号成分とを乗算し、その乗算結果を除算結果の瞬時電力で規格化して信号成分に含まれる残留不要波成分を算出するものである。
【００５１】
【発明の実施の形態】
以下、この発明の実施の一形態を説明する。
実施の形態１．
図１はこの発明の実施の形態１によるフィードフォワード増幅器の歪除去回路２の動作原理を示す図であり、図において、３８は除算器、３９は適応フィルタとしての制御回路、Ｇ（Ｗ）は補助増幅器２６の通過利得及び通過位相であり、その他のＶｓ，Ｖｄ，Ｗ，Ｖｅは従来の図１２に示すものと同一である。ここでは、補助増幅器２６は非線形の増幅器であることを想定している。
【００５２】
図１に示すように、主増幅器出力経路５におけるＶｓ＋Ｖｄは、電力合成器２７により補助増幅器２６からの出力Ｇ（Ｗ）・Ｗ・Ｖｄと合成され、方向性結合器３３から制御回路３９に次の（７）式に示す誤差信号Ｖｅが入力される。
Ｖｅ＝Ｖｓ＋（１＋Ｇ（Ｗ）・Ｗ）・Ｖｄ                        （７）
また、方向性結合器２４からの出力Ｇ（Ｗ）・Ｗ・Ｖｄは、除算器３８により制御回路３９から出力される設定値Ｗで除算され、Ｇ（Ｗ）・Ｖｄが制御回路３９の参照信号として入力される。
【００５３】
ここで、誤差信号Ｖｅの誤差信号電力Ｐｅは次の（８）式で示される。
0003720276.tif 000002
ただし、（８）式においてもＶｓとＶｄは無相関なので、上記（３）式を条件としている。
【００５４】
上記（８）式を上記（４）式に代入すると、
0003720276.tif 000003
ただし、上記（９）式において、通過利得及び通過位相の変化が小さいとし、
∂Ｇ（Ｗ）／∂Ｗ≒０，  ∂Ｇ＊（Ｗ）／∂Ｗ≒０                （１０）
としている。
【００５５】
上記（９）式は上記（６）式と同じであるが、制御回路３９の参照信号をＧ（Ｗ）・Ｖｄとし、誤差信号をＶｅとした場合に、補助増幅器２６の通過利得及び通過位相Ｇ（Ｗ）が時間の経過と共に変化し、上記（８）式における誤差信号電力Ｐｅの関数が変化しても、変化した誤差信号電力Ｐｅの関数における図１３に示す傾き１１１から最小点１１２を求めれば良いことを意味している。すなわち、従来の図１２に示す制御回路３７の参照信号Ｖｄの代わりに、参照信号をＧ（Ｗ）・Ｖｄとすれば良いことを意味している。そして、制御回路３９の参照信号をＧ（Ｗ）・Ｖｄとするには、図１に示すように、方向性結合器２４から補助増幅器２６の出力Ｇ（Ｗ）・Ｗ・Ｖｄを取り出して、除算器３８により制御回路３９の出力Ｗで除算すれば良い。
【００５６】
図１は歪除去回路２の動作原理を示す図であるが、歪検出回路１についても同様であり、主増幅器１３の出力Ｇ（Ｗ）・Ｗ・Ｖｓを取り出して、除算器により制御回路の出力Ｗで除算して、適応フィルタとしての制御回路の参照信号をＧ（Ｗ）・Ｖｓとするような回路構成にすれば良い。
【００５７】
図２はこの発明の実施の形態１によるフィードフォワード増幅器の構成を示すブロック図である。図において、２２は方向性結合器、３４，３５は帯域遮断フィルタ、５１，５２は制御回路であり、その他の構成は、歪検出回路１の方向性結合器１４を削除し、歪除去回路２における方向性結合器２４を、補助増幅器２６の出力側に移動した以外は従来の図９に示す構成と同等である。
【００５８】
また、図３は制御回路５１，５３の内部構成を示すブロック図であり、図において、６１はＡＤ変換器、６２は除算器、６３は複素共役器、６４はＡＤ変換器、６５は乗算器、６６は積分器、６７は修正係数設定器、６８は乗算器、６９は設定値更新器、７０はＤＡ変換器であり、７１は複素共役器６３、乗算器６５、積分器６６により構成される相関器である。
【００５９】
次に動作について説明する。
まず歪検出回路１の動作について説明する。図２において、主増幅器１３から出力された歪成分を含む信号成分は、電力分配器２０により電力分配され、方向性結合器２２により取り出されて、帯域遮断フィルタ３４により歪成分が遮断されて、信号成分（ここでは、Ｖ1A（ｔ）とする）が制御回路５１に入力される。また、従来と同様に、方向性結合器２３から取り出された残留信号成分を含む歪成分（ここでは、Ｖ1B（ｔ）とする）が制御回路５１に入力される。
【００６０】
制御回路５１は信号成分Ｖ1A（ｔ）と残留信号成分を含む歪成分Ｖ1B（ｔ）を入力して、歪成分Ｖ1B（ｔ）に含まれる残留信号成分を算出し、算出された残留信号成分に基づき、電力合成器２１から歪注入経路６へ出力される歪成分Ｖ1B（ｔ）に含まれる残留信号成分が最小になるように、設定値Ｗ（ｔ）をベクトル調整器１２に出力する。
【００６１】
ベクトル調整器１２は制御回路５１からの設定値Ｗ（ｔ）に基づき、電力分配器１１からの入力信号の振幅と位相を調整することにより、電力合成器２１から歪注入経路６に出力される歪成分に含まれる残留信号成分を削減する。
【００６２】
次に図３に示す制御回路５１の動作について説明する。図２の方向性結合器２２から取り出され帯域遮断フィルタ３４を通過した信号成分Ｖ1A（ｔ）は、図３のＡＤ変換器６１によりディジタルに変換され、除算器６２により設定値更新器６９から出力された設定値Ｗ（ｔ）で除算されて、Ｖ1A（ｔ）／Ｗ（ｔ）が複素共役器６３に入力される。複素共役器６３は、信号成分Ｖ1A（ｔ）／Ｗ（ｔ）の振幅（複素数における実数部分）を変えずに、位相（複素数における虚数部分）を反転させて、Ｖ1A（ｔ）／Ｗ（ｔ）の複素共役（Ｖ1A（ｔ）／Ｗ（ｔ））＊を乗算器６５に出力する。
【００６３】
乗算器６５は、複素共役器６３からの複素共役（Ｖ1A（ｔ）／Ｗ（ｔ））＊と、ＡＤ変換器６４によりディジタル信号に変換された残留信号成分を含む歪成分Ｖ1B（ｔ）とを乗算し、乗算結果（Ｖ1A（ｔ）／Ｗ（ｔ））＊・Ｖ1B（ｔ）を算出し、積分器６６により乗算結果（Ｖ1A（ｔ）／Ｗ（ｔ））＊・Ｖ1B（ｔ）の時間平均を求めることにより、乗算結果の平均値＜（Ｖ1A（ｔ）／Ｗ（ｔ））＊・Ｖ1B（ｔ）＞を歪成分Ｖ1B（ｔ）に含まれる残留信号成分として出力する。この積分器６６により乗算結果（Ｖ1A（ｔ）／Ｗ（ｔ））＊・Ｖ1B（ｔ）の時間平均を求めることで、歪検出回路１の制御系の安定性を高めることができる。
【００６４】
修正係数設定器６７には、主増幅器１３の通過特性に応じて、すなわち、主増幅器１３の通過利得や通過位相に応じて、歪検出回路１の制御の収束性と安定性を考慮した修正係数μが事前に設定されている。ここで、例えば修正係数μと通過利得αの積Ａ（＝μ×α）により制御の収束性と安定性が決定される。積Ａが大きいと、収束速度が速くなり収束性が良くなるが安定性が悪くなり、積Ａが小さいと、収束速度は遅くなり収束性が低下するが安定性が良くなる。
【００６５】
図４は制御回路５１が出力する設定値Ｗ（ｔ）の収束特性を示す図であり、修正係数μをパラメータとしたときの制御回路５１の設定値Ｗ（ｔ）を繰り返して更新した場合を示している。ここでは通過利得αを一定としている。図４（ａ）に示すように、修正係数μが大きい場合には、初期値Ｗｏから収束値Ｗｍへの収束速度が速く収束性は良いが安定性が悪く、図４（ｂ），（ｃ）に示すように、修正係数μが小さくなるに従い収束速度が遅く収束性が低下するが安定性が良くなる。従って、制御の収束性と安定性を考慮して上記積Ａを決定し、主増幅器１３の通過利得αに応じた修正係数μを設定すれば良い。
【００６６】
乗算器６８は積分器６６から出力される残留信号成分＜（Ｖ1A（ｔ）／Ｗ（ｔ））＊・Ｖ1B（ｔ）＞に、修正係数設定器６７に設定されている修正係数μを乗算し、主増幅器１３の通過特性に応じて歪検出回路１の制御の収束性と安定性を考慮した乗算結果である設定値変化量ΔＷを、次の（１１）式により求めて設定値更新器６９に出力する。
ΔＷ＝μ・＜（Ｖ1A（ｔ）／Ｗ（ｔ））＊・Ｖ1B（ｔ）＞          （１１）
【００６７】
設定値更新器６９はベクトル調整器１２の更新回数ｔにおける設定値Ｗ（ｔ）に、乗算器６８が求めた設定値変化量ΔＷを加算した結果を、更新回数ｔ＋１における設定値Ｗ（ｔ＋１）として次の（１２）式により求める。
Ｗ（ｔ＋１）＝Ｗ（ｔ）＋ΔＷ
＝Ｗ（ｔ）＋μ・＜（Ｖ1A（ｔ）／Ｗ（ｔ））＊・Ｖ1B（ｔ）＞    （１２）
すなわち、設定値更新器６９は設定値変化量ΔＷが最小になるように、設定値Ｗ（ｔ＋１）をＤＡ変換器７０に出力する。
【００６８】
ＤＡ変換器７０は設定値更新器６９が出力した設定値Ｗ（ｔ＋１）をアナログ信号に変換しベクトル調整器１２に出力する。
【００６９】
次に歪除去回路２の動作について説明する。図２において、補助増幅器２６から出力された残留信号成分を含む歪成分は、方向性結合器２４により取り出されて、帯域遮断フィルタ３５により残留信号成分が遮断され、歪成分（ここでは、Ｖ2A（ｔ）とする）が制御回路５２に入力される。また、従来と同様に、方向性結合器３３から取り出された残留歪成分を含む信号成分（ここでは、Ｖ2B（ｔ）とする）が制御回路５２に入力される。
【００７０】
制御回路５２は歪成分Ｖ2A（ｔ）と残留歪成分を含む信号成分Ｖ2B（ｔ）を入力して、信号成分Ｖ2B（ｔ）に含まれる残留歪成分を算出し、算出された残留歪成分に基づき、電力合成器２７から出力される信号成分Ｖ2B（ｔ）に含まれる残留歪成分が最小になるように、設定値Ｗ（ｔ）をベクトル調整器２５に出力する。
【００７１】
ベクトル調整器２５は制御回路５２からの設定値Ｗ（ｔ）に基づき、方向性結合器２３からの残留信号成分を含む歪成分の振幅と位相を調整することにより、電力合成器２７から出力される信号成分に含まれる残留歪成分を削減する。
【００７２】
次に図３に示す制御回路５２の動作について説明する。図２の方向性結合器２４から取り出され帯域遮断フィルタ３５を通過した歪成分Ｖ2A（ｔ）は、図３のＡＤ変換器６１によりディジタルに変換され、除算器６２により設定値更新器６９から出力された設定値Ｗ（ｔ）で除算されて、Ｖ2A（ｔ）／Ｗ（ｔ）が複素共役器６３に入力される。複素共役器６３は、歪成分Ｖ2A（ｔ）／Ｗ（ｔ）の振幅（複素数における実数部分）を変えずに、位相（複素数における虚数部分）を反転させて、Ｖ2A（ｔ）／Ｗ（ｔ）の複素共役（Ｖ2A（ｔ）／Ｗ（ｔ））＊を乗算器６５に出力する。
【００７３】
乗算器６５は、複素共役器６３からの複素共役（Ｖ2A（ｔ）／Ｗ（ｔ））＊と、ＡＤ変換器６４によりディジタル信号に変換された残留歪成分を含む信号成分Ｖ2B（ｔ）とを乗算し、乗算結果（Ｖ2A（ｔ）／Ｗ（ｔ））＊・Ｖ2B（ｔ）を算出し、積分器６６により乗算結果（Ｖ2A（ｔ）／Ｗ（ｔ））＊・Ｖ2B（ｔ）の時間平均を求めることにより、乗算結果の平均値＜（Ｖ2A（ｔ）／Ｗ（ｔ））＊・Ｖ2B（ｔ）＞を信号成分Ｖ2B（ｔ）に含まれる残留歪成分として出力する。この積分器６６により乗算結果（Ｖ2A（ｔ）／Ｗ（ｔ））＊・Ｖ2B（ｔ）の時間平均を求めることで、歪除去回路２の制御系の安定性を高めることができる。
【００７４】
修正係数設定器６７には、補助増幅器２６の通過特性に応じて、すなわち、補助増幅器２６の通過利得や通過位相に応じて、歪除去回路２の制御の収束性と安定性を考慮した修正係数μが事前に設定されている。
【００７５】
乗算器６８は積分器６６から出力される残留歪成分＜（Ｖ2A（ｔ）／Ｗ（ｔ））＊・Ｖ2B（ｔ）＞に、修正係数設定器６７に設定されている修正係数μを乗算し、補助増幅器２６の通過特性に応じて歪除去回路２制御の収束性と安定性を考慮した乗算結果である設定値変化量ΔＷを、次の（１３）式により求めて設定値更新器６９に出力する。
ΔＷ＝μ・＜（Ｖ2A（ｔ）／Ｗ（ｔ））＊・Ｖ2B（ｔ）＞          （１３）
【００７６】
設定値更新器６９はベクトル調整器２５の更新回数ｔにおける設定値Ｗ（ｔ）に、乗算器６８が求めた設定値変化量ΔＷを加算した結果を、更新回数ｔ＋１における設定値Ｗ（ｔ＋１）として次の（１４）式により求める。
Ｗ（ｔ＋１）＝Ｗ（ｔ）＋ΔＷ
＝Ｗ（ｔ）＋μ・＜（Ｖ2A（ｔ）／Ｗ（ｔ））＊・Ｖ2B（ｔ）＞    （１４）
すなわち、設定値更新器６９は設定値変化量ΔＷが最小になるように、設定値Ｗ（ｔ＋１）をＤＡ変換器７０に出力する。
【００７７】
ＤＡ変換器７０は設定値更新器６９が出力した設定値Ｗ（ｔ＋１）をアナログ信号に変換しベクトル調整器２５に出力する。
【００７８】
以上のように、この実施の形態１によれば、制御回路５１が、主増幅器１３の出力から取り出した信号成分Ｖ1A（ｔ）をディジタル化して、ベクトル調整器１２の更新回数ｔにおける設定値Ｗ（ｔ）で除算し、電力合成器２１の出力から取り出した残留信号成分を含む歪成分Ｖ1B（ｔ）をディジタル化して、除算結果との相関を求めて歪成分Ｖ1B（ｔ）に含まれる残留信号成分を算出し、歪検出回路１の制御の収束性と安定性を考慮した修正係数μを乗算して、設定値Ｗ（ｔ）を更新することにより、主増幅器１３が非線形の場合でも、制御回路５１が出力するベクトル調整器１２の設定値Ｗを確実に収束させることができるという効果が得られる。
【００７９】
また、この実施の形態１によれば、制御回路５２が、補助増幅器２６の出力から取り出した歪成分Ｖ2A（ｔ）をディジタル化して、ベクトル調整器２５の更新回数ｔにおける設定値Ｗ（ｔ）で除算し、電力合成器２７の出力から取り出した残留歪成分を含む信号成分Ｖ2B（ｔ）をディジタル化して、除算結果との相関を求めて信号成分Ｖ2B（ｔ）に含まれる残留歪成分を算出し、歪除去回路２の制御の収束性と安定性を考慮した修正係数μを乗算して、設定値Ｗ（ｔ）を更新することにより、補助増幅器２６が非線形の場合でも、制御回路５２が出力するベクトル調整器２５の設定値Ｗを確実に収束させることができるという効果が得られる。
【００８０】
実施の形態２．
図５はこの発明の実施の形態２によるフィードフォワード増幅器の制御回路５１，５２の構成を示すブロック図であり、実施の形態１の図３から積分器６６を削除したものである。また、この実施の形態２によるフィードフォワード増幅器の全体の構成は、実施の形態１における図２の構成と同一である。
【００８１】
次に動作について説明する。
制御回路５１において、乗算器６５は、実施の形態１と同様に、複素共役器６３からの複素共役（Ｖ1A（ｔ）／Ｗ（ｔ））＊と、ＡＤ変換器６４によりディジタル信号に変換された残留信号成分を含む歪成分Ｖ1B（ｔ）とを乗算し、乗算結果（Ｖ1A（ｔ）／Ｗ（ｔ））＊・Ｖ1B（ｔ）を算出し、乗算結果（Ｖ1A（ｔ）／Ｗ（ｔ））＊・Ｖ1B（ｔ）を歪成分Ｖ1B（ｔ）に含まれる残留信号成分として出力する。
【００８２】
乗算器６８は乗算器６５から出力される残留信号成分（Ｖ1A（ｔ）／Ｗ（ｔ））＊・Ｖ1B（ｔ）に、修正係数設定器６７に設定されている修正係数μを乗算し、主増幅器１３の特性に応じて歪検出回路１の制御の収束性と安定性を考慮した乗算結果である設定値変化量ΔＷを、次の（１５）式により求めて設定値更新器６９に出力する。
ΔＷ＝μ・（Ｖ1A（ｔ）／Ｗ（ｔ））＊・Ｖ1B（ｔ）              （１５）
【００８３】
設定値更新器６９はベクトル調整器１２の更新回数ｔにおける設定値Ｗ（ｔ）に、乗算器６８が求めた設定値変化量ΔＷを加算した結果を、更新回数ｔ＋１における設定値Ｗ（ｔ＋１）として次の（１６）式により求める。
Ｗ（ｔ＋１）＝Ｗ（ｔ）＋ΔＷ
＝Ｗ（ｔ）＋μ・（Ｖ1A（ｔ）／Ｗ（ｔ））＊・Ｖ1B（ｔ）        （１６）
すなわち、設定値更新器６９は設定値変化量ΔＷが最小になるように、設定値Ｗ（ｔ＋１）をＤＡ変換器７０に出力する。
【００８４】
このように、乗算器６５の出力を、実施の形態１のように積分器６６により時間平均を求めずに、乗算器６８に直接出力することにより、制御回路５１における計算量を少なくして処理速度を高めることができる。また、制御回路５２についても同様であり、制御回路５２における計算量を少なくして処理速度を高めることができる。
【００８５】
以上のように、この実施の形態２によれば、乗算器６５の出力を、実施の形態１のように積分器６６により時間平均を求めずに、乗算器６８に直接出力することにより、制御回路５１，５２における計算量を少なくして処理速度を高めることにより、歪検出回路１、歪除去回路２の制御系の応答性を早めることができるという効果が得られる。
【００８６】
実施の形態３．
図６はこの発明の実施の形態３によるフィードフォワード増幅器の制御回路５１，５２の構成を示すブロック図である。図において、７２は瞬時電力検出器、７３は除算器であり、その他の構成は実施の形態２における図５の構成と同様である。また、この実施の形態３によるフィードフォワード増幅器の全体の構成は、実施の形態１の図２と同一である。
【００８７】
次に動作について説明する。
制御回路５１において、瞬時電力検出器７２は、除算器６２からのＶ1A（ｔ）／Ｗ（ｔ）の瞬時電力｜Ｖ1A（ｔ）／Ｗ（ｔ）｜2 を検出して除算器７３に出力する。除算器７３は乗算器６５が出力した（Ｖ1A（ｔ）／Ｗ（ｔ））＊・Ｖ1B（ｔ）を、瞬時電力検出器７２が検出した瞬時電力｜Ｖ1A（ｔ）／Ｗ（ｔ）｜2 で除算し、除算結果である（Ｖ1A（ｔ）／Ｗ（ｔ））＊・Ｖ1B（ｔ）／｜Ｖ1A（ｔ）／Ｗ（ｔ）｜2 を、乗算器６８に出力する。その他の動作は実施の形態２と同様である。
【００８８】
このように、乗算器６５が出力した（Ｖ1A（ｔ）／Ｗ（ｔ））＊・Ｖ1B（ｔ）を、瞬時電力検出器７２が検出した瞬時電力｜Ｖ1A（ｔ）／Ｗ（ｔ）｜2 で除算することにより、（Ｖ1A（ｔ）／Ｗ（ｔ））＊・Ｖ1B（ｔ）に含まれている残留信号成分が規格化され、信号成分の大きさに依存せずに、歪検出回路１の制御を行うことができるので安定性が向上する。また、制御回路５２についても同様であり、残留歪成分を規格化することにより、主増幅器１３の歪成分の大きさに依存せずに、歪除去回路２の制御を行うことができるので安定性が向上する。
【００８９】
この実施の形態３では、除算器７３を乗算器６５の出力側に接続しているが、乗算器６８の出力側に接続しても良い。
【００９０】
以上のように、この実施の形態３によれば、歪検出回路１、歪除去回路２の制御において、乗算器６５が算出した残留信号成分、残留歪成分を規格化することにより、入力信号の信号成分の大きさ、主増幅器１３の歪成分の大きさに依存せずに制御を行うことができるので、安定性をより向上させることができるという効果が得られる。
【００９１】
実施の形態４．
図７はこの発明の実施の形態４によるフィードフォワード増幅器の構成を示すブロック図であり、図において、１５はパイロット信号の発振器、１６は方向性結合器であり、その他の構成は、実施の形態１の図２に示す構成と同等である。
【００９２】
次に動作について説明する。
発振器１５から出力された所定の出力レベルのパイロット信号は、歪検出回路１の方向性結合器１６により入力信号と合成され電力分配器１１に入力される。このパイロット信号の周波数は入力信号の周波数帯域の外に設定されており、パイロット信号を入力信号の信号成分と見なして、上記各実施の形態と同様の処理を行う。すなわち、パイロット信号成分をＶｐとすると、上記各実施の形態において、入力信号の信号成分Ｖｓの代わりに、信号成分Ｖｓとパイロット信号成分Ｖｐによる所望波成分Ｖｓ＋Ｖｐとして各処理を行えば良い。
【００９３】
以上のように、この実施の形態４によれば、実施の形態１から実施の形態３と同様の効果が得られると共に、所定の出力レベルのパイロット信号を歪検出回路１に入力し、入力信号の信号成分とパイロット信号成分による所望波成分により、歪検出回路１の制御を行うことにより、歪検出動作を正確に行うことができるという効果が得られる。
【００９４】
実施の形態５．
図８はこの発明の実施の形態５によるフィードフォワード増幅器の構成を示すブロック図であり、図において、１７はパイロット信号の発振器、１８は方向性結合器であり、その他の構成は、実施の形態１の図２に示す構成と同等である。
【００９５】
次に動作について説明する。
発振器１７から出力された所定の出力レベルのパイロット信号は、歪検出回路１の方向性結合器１８により入力信号と合成され、主増幅器１３により増幅されて電力分配器２０に入力される。このパイロット信号の周波数は入力信号の周波数帯域の外に設定されており、パイロット信号を主増幅器１３から発生する歪成分と見なして、上記実施の形態１から上記実施の形態３と同様の処理を行う。すなわち、パイロット信号成分をＶｐとすると、上記実施の形態１から上記実施の形態３において、歪成分Ｖｄの代わりに、歪成分Ｖｄとパイロット信号成分Ｖｐによる不要波成分Ｖｄ＋Ｖｐとして各処理を行えば良い。
【００９６】
以上のように、この実施の形態５によれば、実施の形態１から実施の形態３と同様の効果が得られると共に、所定の出力レベルのパイロット信号を歪検出回路１に入力し、歪成分とパイロット信号成分による不要波成分により、歪除去回路２の制御を行うことにより、歪除去動作を正確に行うことができるという効果が得られる。
【００９７】
【発明の効果】
以上のように、この発明によれば、主増幅器の出力から取り出した信号成分をベクトル調整器の設定値により除算し、その除算結果と歪検出回路により検出された残留信号成分を含む歪成分に基づき歪成分に含まれる残留信号成分を算出し、ベクトル調整器の次の設定値を制御する制御回路を備えたことにより、主増幅器が非線形の場合でも、制御回路が出力するベクトル調整器の設定値を確実に収束させることができるという効果がある。
【００９８】
この発明によれば、補助増幅器の出力から取り出した歪成分をベクトル調整器の設定値により除算し、その除算結果と歪除去回路から出力された残留歪成分を含む信号成分に基づき信号成分に含まれる残留歪成分を算出し、ベクトル調整器の次の設定値を制御する制御回路を備えたことにより、補助増幅器が非線形の場合でも、制御回路が出力するベクトル調整器の設定値を確実に収束させることができるという効果がある。
【００９９】
この発明によれば、主増幅器の出力から取り出した入力信号とパイロット信号を合成した所望波成分をベクトル調整器の設定値により除算し、その除算結果と歪検出回路により検出された残留所望波成分を含む歪成分に基づき歪成分に含まれる残留所望波成分を算出し、ベクトル調整器の次の設定値を制御する制御回路を備えたことにより、主増幅器が非線形の場合でも、制御回路が出力するベクトル調整器の設定値を確実に収束させることができると共に、歪検出動作を正確に行うことができるという効果がある。
【０１００】
この発明によれば、補助増幅器の出力から取り出した主増幅器の歪成分とパイロット信号成分による不要波成分をベクトル調整器の設定値により除算し、その除算結果と歪除去回路から出力された残留不要波成分を含む信号成分に基づき信号成分に含まれる残留不要波成分を算出し、ベクトル調整器の次の設定値を制御する制御回路を備えたことにより、補助増幅器が非線形の場合でも、制御回路が出力するベクトル調整器の設定値を確実に収束させることができると共に、歪検出動作を正確に行うことができるという効果がある。
【０１０１】
この発明によれば、主増幅器の出力から取り出した信号成分と、歪検出回路により検出された残留信号成分を含む歪成分を入力し、入力した信号成分をディジタル化し、入力した残留信号成分を含む歪成分をディジタル化すると共に、ディジタル化された信号成分をベクトル調整器に与えるためのディジタル化された設定値により除算し、その除算結果とディジタル化された残留信号成分を含む歪成分との相関を求めて歪成分に含まれる残留信号成分を算出し、算出した残留信号成分に歪検出回路の制御の収束性と安定性を考慮した修正係数を乗算して、ベクトル調整器に与えるためのディジタル化された設定値を更新し、更新した設定値をアナログ化して上記ベクトル調整器に与える制御回路を備えたことにより、主増幅器が非線形の場合でも、制御回路が出力するベクトル調整器の設定値を確実に収束させることができるという効果がある。
【０１０２】
この発明によれば、制御回路が、除算結果の複素共役とディジタル化された残留信号成分を含む歪成分とを乗算し、その乗算結果を時間平均して歪成分に含まれる残留信号成分を算出することにより、歪検出回路の制御系の安定性を高めることができるという効果がある。
【０１０３】
この発明によれば、主増幅器の出力から取り出した信号成分と、歪検出回路により検出された残留信号成分を含む歪成分を入力し、入力した信号成分をディジタル化し、入力した残留信号成分を含む歪成分をディジタル化すると共に、ディジタル化された信号成分をベクトル調整器に与えるためのディジタル化された設定値により除算し、その除算結果の複素共役とディジタル化された残留信号成分を含む歪成分とを乗算して、歪成分に含まれる残留信号成分を算出し、算出した残留信号成分に歪検出回路の制御の収束性と安定性を考慮した修正係数を乗算して、ベクトル調整器に与えるためのディジタル化された設定値を更新し、更新した設定値をアナログ化して上記ベクトル調整器に与える制御回路を備えたことにより、制御回路の計算量を少なくして処理速度を高めることができ、歪検出回路の制御系の応答性を早めることができるという効果がある。
【０１０４】
この発明によれば、制御回路が、除算結果の複素共役とディジタル化された残留信号成分を含む歪成分とを乗算し、その乗算結果を除算結果の瞬時電力で規格化して歪成分に含まれる残留信号成分を算出することにより、入力信号の信号成分の大きさに依存せずに制御を行うことができるので、安定性をより向上させることができるという効果がある。
【０１０５】
この発明によれば、補助増幅器の出力から取り出した歪成分と、歪除去回路から出力された残留歪成分を含む信号成分を入力し、入力した歪成分をディジタル化し、入力した残留歪成分を含む信号成分をディジタル化すると共に、ディジタル化された歪成分をベクトル調整器に与えるためのディジタル化された設定値により除算し、その除算結果とディジタル化された残留歪成分を含む信号成分との相関を求めて信号成分に含まれる残留歪成分を算出し、算出した残留歪成分に歪除去回路の制御の収束性と安定性を考慮した修正係数を乗算して、ベクトル調整器に与えるためのディジタル化された設定値を更新し、更新した設定値をアナログ化してベクトル調整器に与える制御回路を備えたことにより、補助増幅器が非線形の場合でも、制御回路が出力するベクトル調整器の設定値を確実に収束させることができるという効果がある。
【０１０６】
この発明によれば、制御回路が、除算結果の複素共役とディジタル化された残留歪成分を含む信号成分とを乗算し、その乗算結果を時間平均して信号成分に含まれる残留歪成分を算出することにより、歪除去回路の制御系の安定性を高めることができるという効果がある。
【０１０７】
この発明によれば、補助増幅器の出力から取り出した歪成分と、歪除去回路から出力された残留歪成分を含む信号成分を入力し、入力した歪成分をディジタル化し、入力した残留歪成分を含む信号成分をディジタル化すると共に、ディジタル化された歪成分をベクトル調整器に与えるためのディジタル化された設定値により除算し、その除算結果の複素共役とディジタル化された残留歪成分を含む信号成分とを乗算して、信号成分に含まれる残留歪成分を算出し、算出した残留歪成分に歪除去回路の制御の収束性と安定性を考慮した修正係数を乗算して、ベクトル調整器に与えるためのディジタル化された設定値を更新し、更新した設定値をアナログ化してベクトル調整器に与える制御回路を備えたことにより、制御回路における計算量を少なくして処理速度を高めることができ、歪除去回路の制御系の応答性を早めることができるという効果がある。
【０１０８】
この発明によれば、制御回路が、除算結果の複素共役とディジタル化された残留歪成分を含む信号成分とを乗算し、その乗算結果を上記除算結果の瞬時電力で規格化して信号成分に含まれる残留歪成分を算出することにより、主増幅器の歪成分の大きさに依存せずに制御を行うことができるので、安定性をより向上させることができるという効果がある。
【０１０９】
この発明によれば、主増幅器の出力から取り出した入力信号とパイロット信号を合成した所望波成分と、歪検出回路により検出された残留所望波成分を含む歪成分を入力し、入力した所望波成分をディジタル化し、入力した残留所望波成分を含む歪成分をディジタル化すると共に、ディジタル化された所望波成分をベクトル調整器に与えるためのディジタル化された設定値により除算し、その除算結果とディジタル化された残留所望波成分を含む歪成分との相関を求めて歪成分に含まれる残留所望波成分を算出し、算出した残留所望波成分に歪検出回路の制御の収束性と安定性を考慮した修正係数を乗算して、ベクトル調整器に与えるためのディジタル化された設定値を更新し、更新した設定値をアナログ化して上記ベクトル調整器に与える制御回路を備えたことにより、主増幅器が非線形の場合でも、制御回路が出力するベクトル調整器の設定値を確実に収束させることができると共に、歪検出動作を正確に行うことができるという効果がある。
【０１１０】
この発明によれば、制御回路が、除算結果の複素共役とディジタル化された残留所望波成分を含む歪成分とを乗算し、その乗算結果を時間平均して歪成分に含まれる残留所望波成分を算出することにより、歪検出回路の制御系の安定性を高めることができるという効果がある。
【０１１１】
この発明によれば、主増幅器の出力から取り出した入力信号とパイロット信号を合成した所望波成分と、歪検出回路により検出された残留所望波成分を含む歪成分を入力し、入力した所望波成分をディジタル化し、入力した残留所望波成分を含む歪成分をディジタル化すると共に、ディジタル化された所望波成分をベクトル調整器に与えるためのディジタル化された設定値により除算し、その除算結果の複素共役とディジタル化された残留所望波成分を含む歪成分とを乗算して、歪成分に含まれる残留所望波成分を算出し、算出した残留所望波成分に歪検出回路の制御の収束性と安定性を考慮した修正係数を乗算して、ベクトル調整器に与えるためのディジタル化された設定値を更新し、更新した設定値をアナログ化して上記ベクトル調整器に与える制御回路を備えたことにより、制御回路の計算量を少なくして処理速度を高めることができ、歪検出回路の制御系の応答性を早めることができるという効果がある。
【０１１２】
この発明によれば、制御回路が、除算結果の複素共役とディジタル化された残留所望波成分を含む歪成分とを乗算し、その乗算結果を除算結果の瞬時電力で規格化して歪成分に含まれる残留所望波成分を算出することにより、入力信号の信号成分の大きさに依存せずに制御を行うことができるので、安定性をより向上させることができるという効果がある。
【０１１３】
この発明によれば、補助増幅器の出力から取り出した主増幅器の歪成分とパイロット信号成分による不要波成分と、歪除去回路から出力された残留不要波成分を含む信号成分を入力し、入力した不要波成分をディジタル化し、入力した残留不要波成分を含む信号成分をディジタル化すると共に、ディジタル化された不要波成分をベクトル調整器に与えるためのディジタル化された設定値により除算し、その除算結果とディジタル化された残留不要波成分を含む信号成分との相関を求めて信号成分に含まれる残留不要波成分を算出し、算出した残留不要波成分に歪除去回路の制御の収束性と安定性を考慮した修正係数を乗算して、ベクトル調整器に与えるためのディジタル化された設定値を更新し、更新した設定値をアナログ化してベクトル調整器に与える制御回路を備えたことより、補助増幅器が非線形の場合でも、制御回路が出力するベクトル調整器の設定値を確実に収束させることができると共に、歪検出動作を正確に行うことができるという効果がある。
【０１１４】
この発明によれば、制御回路が、除算結果の複素共役とディジタル化された残留不要波成分を含む信号成分とを乗算し、その乗算結果を時間平均して信号成分に含まれる残留不要波成分を算出することにより、歪除去回路の制御系の安定性を高めることができるという効果がある。
【０１１５】
この発明によれば、補助増幅器の出力から取り出した主増幅器の歪成分とパイロット信号成分による不要波成分と、歪除去回路から出力された残留不要波成分を含む信号成分を入力し、入力した不要波成分をディジタル化し、入力した残留不要波成分を含む信号成分をディジタル化すると共に、ディジタル化された不要波成分をベクトル調整器に与えるためのディジタル化された設定値により除算し、その除算結果の複素共役とディジタル化された残留不要波成分を含む信号成分とを乗算して、信号成分に含まれる残留不要波成分を算出し、算出した残留不要波成分に歪除去回路の制御の収束性と安定性を考慮した修正係数を乗算して、ベクトル調整器に与えるためのディジタル化された設定値を更新し、更新した設定値をアナログ化して上記ベクトル調整器に与える制御回路を備えたことにより、制御回路における計算量を少なくして処理速度を高めることができ、歪除去回路の制御系の応答性を早めることができるという効果がある。
【０１１６】
この発明によれば、制御回路が、除算結果の複素共役とディジタル化された残留不要波成分を含む信号成分とを乗算し、その乗算結果を除算結果の瞬時電力で規格化して信号成分に含まれる残留不要波成分を算出することにより、主増幅器の歪成分の大きさに依存せずに制御を行うことができるので、安定性をより向上させることができるという効果がある。
【図面の簡単な説明】
【図１】  この発明の実施の形態１によるフィードフォワード増幅器の歪除去回路の動作原理を示す図である。
【図２】  この発明の実施の形態１によるフィードフォワード増幅器の構成を示すブロック図である。
【図３】  この発明の実施の形態１によるフィードフォワード増幅器の制御回路の内部構成を示すブロック図である。
【図４】  この発明の実施の形態１によるフィードフォワード増幅器の制御回路が出力する設定値の収束特性を示す図である。
【図５】  この発明の実施の形態２によるフィードフォワード増幅器の制御回路の内部構成を示すブロック図である。
【図６】  この発明の実施の形態３によるフィードフォワード増幅器の制御回路の内部構成を示すブロック図である。
【図７】  この発明の実施の形態４によるフィードフォワード増幅器の構成を示すブロック図である。
【図８】  この発明の実施の形態５によるフィードフォワード増幅器の構成を示すブロック図である。
【図９】  従来のフィードフォワード増幅器の構成を示すブロック図である。
【図１０】  従来のフィードフォワード増幅器の制御回路の内部構成を示すブロック図である。
【図１１】  従来のフィードフォワード増幅器の制御回路が出力する設定値の収束特性を示す図である。
【図１２】  従来のフィードフォワード増幅器の歪除去回路の動作原理を示す図である。
【図１３】  従来のフィードフォワード増幅器における誤差信号電力の関数を示す図である。
【符号の説明】
１  歪検出回路、２  歪除去回路、３  主増幅器信号経路、４  線形信号経路、５  主増幅器出力経路、６  歪注入経路、１１  電力分配器、１２  ベクトル調整器、１３  主増幅器、１４  方向性結合器、１５  発振器、１６  方向性結合器、１７  発振器、１８  方向性結合器、２０  電力分配器、２１  電力合成器、２２  方向性結合器、２３  方向性結合器、２４  方向性結合器、２５  ベクトル調整器、２６  補助増幅器、２７  電力合成器、３１  入力端子、３２  出力端子、３３  方向性結合器、３４  帯域遮断フィルタ、３５  帯域遮断フィルタ、３８  除算器、３９  制御回路、５１  制御回路、５２  制御回路、６１ＡＤ変換器、６２  除算器、６３  複素共役器、６４  ＡＤ変換器、６５  乗算器、６６  積分器、６７  修正係数設定器、６８  乗算器、６９  設定値更新器、７０  ＤＡ変換器、７１  相関器、７２  瞬時電力検出器、７３  除算器。
【図１】
0003720276.tif 000004
【図２】
0003720276.tif 000005
【図３】
0003720276.tif 000006
【図４】
0003720276.tif 000007
【図５】
0003720276.tif 000008
【図６】
0003720276.tif 000009
【図７】
0003720276.tif 000010
【図８】
0003720276.tif 000011
【図９】
0003720276.tif 000012
【図１０】
0003720276.tif 000013
【図１１】
0003720276.tif 000014
【図１２】
0003720276.tif 000015
【図１３】
0003720276.tif 000016